(57)【特許請求の範囲】
【請求項１】
ユーザの居室に設けられて当該ユーザの認知機能情報を収集する認知機能情報収集装置であって、
前記ユーザの在宅／外出に応じて操作される操作部と、
前記居室において前記ユーザを検知する人感センサと、
前記操作部の操作状態及び前記人感センサの検知結果を認知機能情報としてサーバ装置へ送信する制御部と、
を備え、
前記制御部は、前記認知機能情報に基づいて、前記ユーザの認知機能を判定し、判定結果を前記サーバ装置へ送信する
ことを特徴とする認知機能情報収集装置。
【請求項２】
前記居室の温度を検出する温度センサを備え、
前記制御部は、前記操作部の操作状態、前記人感センサの検知結果及び前記温度センサの検出結果を前記認知機能情報として前記サーバ装置へ送信する
ことを特徴とする請求項１に記載の認知機能情報収集装置。
【請求項３】
赤外線信号を受信する赤外線受信部を備え、
前記制御部は、前記操作部の操作状態、前記人感センサの検知結果及び前記赤外線受信部の受信結果を前記認知機能情報として前記サーバ装置へ送信する
ことを特徴とする請求項１又は請求項２に記載の認知機能情報収集装置。
【請求項４】
ＩＣカードを読み取るＩＣカード読取部を備え、
前記制御部は、前記操作部の操作状態、前記人感センサの検知結果及び前記ＩＣカード読取部の読取状態を前記認知機能情報として前記サーバ装置へ送信する
ことを特徴とする請求項１から請求項３のいずれか一項に記載の認知機能情報収集装置。
【請求項５】
請求項１から請求項４のいずれか一項に記載の認知機能情報収集装置と、
前記認知機能情報収集装置によって送信された前記認知機能情報を受信し、受信された前記認知機能情報を記憶部に記憶させる前記サーバ装置と、
を備える認知機能情報収集システムであって、
前記サーバ装置は、前記記憶部に記憶された前記認知機能情報に基づいて、前記ユーザの認知機能を判定する制御部を備える
ことを特徴とする認知機能情報収集システム。
【請求項６】
ユーザの居室に設けられて当該ユーザの認知機能情報を収集するために、前記ユーザの在宅／外出に応じて操作される操作部と、前記居室において前記ユーザを検知する人感センサと、前記操作部の操作状態及び前記人感センサの検知結果を認知機能情報としてサーバ装置へ送信する制御部と、を備える認知機能情報収集装置と、
前記認知機能情報収集装置によって送信された前記認知機能情報を受信し、受信された前記認知機能情報を記憶部に記憶させる前記サーバ装置と、
を備える認知機能情報収集システムであって、
前記サーバ装置は、前記記憶部に記憶された前記認知機能情報に基づいて、前記ユーザの認知機能を判定する制御部を備える
ことを特徴とする認知機能情報収集システム。
【発明の詳細な説明】
【技術分野】
【０００１】
本発明は、ユーザの認知機能を収集する認知機能情報収集装置及び認知機能情報収集システムに関する。
【背景技術】
【０００２】
安否確認が必要なユーザを的確に知るために、特許文献１には、ユーザのスケジュールを予め記憶しておき、ユーザ宅内の機器の操作履歴とスケジュールとを比較する技術が開示されている。
【先行技術文献】
【特許文献】
【０００３】
【特許文献１】特開２０１１−２３８０５３号公報
【発明の概要】
【発明が解決しようとする課題】
【０００４】
ここで、ヒトの知的機能を総称した概念として、「認知機能」が知られている。認知機能とは、外部から入ってきた情報に基づいて自分の置かれている状況を認識したり、何かを記憶したり学習したり、問題解決のために深く考えたりするヒトの知的機能のことをいう。特許文献１に記載の技術では、検出情報としては機器の操作履歴といった単独の情報のみを用いるため、ユーザの認知機能を知ることはできなかった。
【０００５】
本発明は、前記の点に鑑みてなされたものであり、ユーザの認知機能を示す情報を好適に収集することが可能な認知機能情報収集装置及び認知機能情報収集システムを提供することを課題とする。
【課題を解決するための手段】
【０００６】
前記した課題を解決するために、本発明の認知機能情報収集装置は、ユーザの居室に設けられて当該ユーザの認知機能情報を収集する認知機能情報収集装置であって、前記ユーザの在宅／外出に応じて操作される操作部と、前記居室において前記ユーザを検知する人感センサと、前記操作部の操作状態及び前記人感センサの検知結果を認知機能情報としてサーバ装置へ送信する制御部と、を備え、前記制御部は、前記認知機能情報に基づいて、前記ユーザの認知機能を判定し、判定結果を前記サーバ装置へ送信することを特徴とする。
【０００７】
本発明において、操作部の操作状態及び人感センサの検知結果は、互いに組み合わされることによって認知機能情報となる。例えば、操作部の操作状態が外出を示すにも関わらず人感センサによってユーザが検知されている場合には、操作部の操作状態及び人感センサの検知結果は互いに矛盾しており、操作部の操作し忘れというユーザの認知機能の低下が推定される。
【０００８】
かかる構成によると、ユーザの認知機能を示す情報として、操作部の操作状態及び人感センサの検知結果を好適に収集し、ユーザの認知機能の推定（例えば、認知症の進行度の推定）に利用することが可能となる。
また、かかる構成によると、例えば各認知機能情報に矛盾が発生した場合にユーザの認知機能が低下していると判定することができる。
【０００９】
前記認知機能情報収集装置は、前記居室の温度を検出する温度センサを備え、前記制御部は、前記操作部の操作状態、前記人感センサの検知結果及び前記温度センサの検出結果を前記認知機能情報として前記サーバ装置へ送信する構成であってもよい。
【００１０】
かかる構成によると、さらに温度センサの検出結果を認知機能情報として利用することが可能となる。
【００１１】
前記認知機能収集装置は、赤外線信号を受信する赤外線受信部を備え、前記制御部は、前記操作部の操作状態、前記人感センサの検知結果及び前記赤外線受信部の受信結果を前記認知機能情報として前記サーバ装置へ送信する構成であってもよい。
【００１２】
かかる構成によると、さらに赤外線受信部の受信結果を認知機能情報として利用することが可能となる。
【００１３】
前記認知機能収集装置は、ＩＣカードを読み取るＩＣカード読取部を備え、前記制御部は、前記操作部の操作状態、前記人感センサの検知結果及び前記ＩＣカード読取部の読取状態を前記認知機能情報として前記サーバ装置へ送信する構成であってもよい。
【００１４】
かかる構成によると、さらにＩＣカード読取部の読取状態を認知機能情報として利用することが可能となる。
【００１７】
また、本発明の認知機能情報収集システムは、前記認知機能情報収集装置と、前記認知機能情報収集装置によって送信された前記認知機能情報を受信し、受信された前記認知機能情報を記憶部に記憶させる前記サーバ装置と、を備える認知機能情報収集システムであって、前記サーバ装置は、前記記憶部に記憶された前記認知機能情報に基づいて、前記ユーザの認知機能を判定する制御部を備えることを特徴とする。
【００１８】
かかる構成によると、ある程度の期間の認知機能情報を用いて、ユーザの認知機能の変化に基づく判定を行うことができる。
また、本発明の認知機能情報収集システムは、ユーザの居室に設けられて当該ユーザの認知機能情報を収集するために、前記ユーザの在宅／外出に応じて操作される操作部と、前記居室において前記ユーザを検知する人感センサと、前記操作部の操作状態及び前記人感センサの検知結果を認知機能情報としてサーバ装置へ送信する制御部と、を備える認知機能情報収集装置と、前記認知機能情報収集装置によって送信された前記認知機能情報を受信し、受信された前記認知機能情報を記憶部に記憶させる前記サーバ装置と、を備える認知機能情報収集システムであって、前記サーバ装置は、前記記憶部に記憶された前記認知機能情報に基づいて、前記ユーザの認知機能を判定する制御部を備えることを特徴とする。
【発明の効果】
【００１９】
本発明によると、ユーザの認知機能を示す情報を好適に収集することができる。
【図面の簡単な説明】
【００２０】
【図１】本発明の実施形態に係る認知機能情報収集システムを模式的に示す図である。
【図２】（ａ）は、ユーザ側端末装置の正面図、（ｂ）は、ユーザ側端末装置の背面図、（ｃ）は、ユーザ側端末装置の側面図である。
【図３】（ａ）は、リモコン装置の平面図、（ｂ）は、リモコン装置の一側面図である。
【図４】（ａ）は、通知装置の平面図、（ｂ）は、通知装置の一側面図である。
【図５】（ａ）は、ユーザ情報データベースの一例を示す図、（ｂ）は、認知機能情報データベースの一例を示す図である。
【発明を実施するための形態】
【００２１】
本発明の実施形態について、図面を参照して詳細に説明する。説明において、同一の要素には同一の符号を付し、重複する説明は省略する。なお、本発明において収集対象となる認知機能とは、記憶、思考、理解、計算、学習、言語、判断等の知的な能力のことをいう。
【００２２】
＜認知機能情報収集システム＞
図１に示すように、本発明の実施形態に係る認知機能情報収集システム１は、複数のユーザを対象として、テレビ２０を用いた情報提供を行ったり、安否確認を行ったり、認知機能情報を収集したりするシステムである。認知機能情報収集システム１は、オペレータ側端末装置１０と、テレビ２０と、認知機能情報収集装置であるユーザ側端末装置３０と、リモコン装置４０と、通知装置５０と、サーバ装置６０と、を備える。テレビ２０、ユーザ側端末装置３０、リモコン装置４０及び通知装置５０は、複数のユーザごとに設けられている。
【００２３】
オペレータ側端末装置１０及びユーザ側端末装置３０は、それぞれネットワーク（インターネット等）ＮＷを介してサーバ装置６０と通信可能に接続されている。また、ユーザ側端末装置３０は、ＨＤＭＩ（登録商標）（High Definition Multimedia Interface）ケーブルを介してテレビ２０と通信可能に接続されており、赤外線通信によってリモコン装置４０と通信可能に接続されており、無線通信によって通知装置５０と通信可能に接続されている。
【００２４】
＜オペレータ側端末装置１０＞
オペレータ側端末装置１０は、オペレータの職場に設置されており、役所職員等といったオペレータが操作するコンピュータ等である。オペレータ側端末装置１０は、キーボード、マウス等からなる操作部１１と、モニタ等からなる通知部１２と、これらを制御する制御部１３と、を備える。制御部１３は、ＣＰＵ（Central Processing Unit）、ＲＯＭ（Read-Only Memory）、ＲＡＭ（Random Access Memory）、入出力回路等によって構成されており、操作部１１の操作結果に基づく情報をサーバ装置６０へ送信したり、サーバ装置６０によって送信された情報を通知部１２へ出力してオペレータに知らせたりする。
【００２５】
＜テレビ＞
テレビ２０は、認知機能情報収集対象となるユーザの自宅の居室に設置されている。
【００２６】
＜ユーザ側端末装置＞
ユーザ側端末装置３０は、認知機能情報収集対象となるユーザの自宅の居室において、例えば、テレビ２０の近傍に設置されている。ユーザ側端末装置３０は、スイッチ等からなる操作部３１と、発光器（ＬＥＤ等）からなる通知部３２と、人感センサ３３と、温度センサ３４と、ＩＣカード読取部３５と、これらを制御する制御部３６と、を備える。
【００２７】
≪操作部（トグルスイッチ）≫
図２（ａ）（ｃ）に示すように、操作部３１は、ユーザによって操作されるトグルスイッチである。操作部３１は、ユーザ側端末装置３０の筐体の前面に設けられている。ユーザは、在宅時には操作部３１であるトグルスイッチを上に倒し、外出時（外出する際）には操作部３１であるトグルスイッチを下に倒す。操作部３１は、かかる操作結果を制御部３６へ出力する。
【００２８】
≪通知部≫
図２（ａ）に示すように、通知部３２は、通知ランプ３２ａ，３２ｂ，３２ｃと、インターネット接続確認用ランプ３２ｄと、を備える。通知ランプ３２ａ，３２ｂ，３２ｃ及びインターネット接続確認用ランプ３２ｄは、ユーザ側端末装置３０の筐体の前面に設けられている。
【００２９】
通知ランプ３２ａは、例えば、緊急情報がユーザ側端末装置３０に届いた場合に、制御部３６による制御によって赤色に点灯又は点滅する。緊急情報の例としては、地震情報、気象の警報等が挙げられる。
【００３０】
通知ランプ３２ｂは、例えば、福祉情報がユーザ側端末装置３０に届いた場合に、制御部３６による制御によって橙色に点灯又は点滅する。福祉情報の例としては、予防接種の開催情報等が挙げられる。
【００３１】
通知ランプ３２ｃは、例えば、一般情報がユーザ側端末装置３０に届いた場合に、制御部３６による制御によって緑色に点灯又は点滅する。一般情報の例としては、健康情報等が挙げられる。
【００３２】
インターネット接続確認用ランプ３２ｄは、ネットワークＮＷであるインターネットへの接続状態を判定した制御部３６による制御によって青色に点灯又は点滅する。本実施形態において、インターネット接続確認用ランプ３２ｄは、インターネットへの接続状態が正常である場合に点灯し、インターネットへの接続状態が異常である場合に点滅する。
【００３３】
≪人感センサ≫
図２（ａ）に示すように、人感センサ３３は、ユーザ側端末装置３０の筐体の前面に設けられており、当該人感センサ３３の検出範囲内の移動体（ヒト）等を検知するセンサである。人感センサ３３は、かかる検知結果を制御部３６へ出力する。
【００３４】
≪温度センサ≫
図２（ｂ）に示すように、温度センサ３４は、ユーザ側端末装置３０の筐体の後面に設けられており、ユーザ側端末装置３０が設けられた居室の温度（室温）を検出するセンサである。温度センサ３４は、かかる検出結果を制御部３６へ出力する。
【００３５】
≪ＩＣカード読取部≫
図２（ｃ）に示すように、ＩＣカード読取部３５は、ユーザ側端末装置３０の筐体の一側面に設けられており、当該ＩＣカード読取部３５に差し込まれたＩＣカードに記憶された情報（ユーザＩＤ等）を読み取るリーダである。ＩＣカード読取部３５は、かかる読取結果を制御部３６へ出力する。
【００３６】
≪制御部≫
図１に示すように、制御部３６は、ユーザ側端末装置３０の筐体内に設けられており、ＣＰＵ、ＲＯＭ、ＲＡＭ、入出力回路等によって構成されている。制御部３６は、サーバ装置６０によって送信された情報、及び、ユーザによるリモコン装置４０の操作結果に基づいて、通知ランプ３２ａ〜３２ｃを制御したり、サーバ装置６０によって送信された情報をテレビ２０に表示させたり、通知装置５０の通知部５１を制御したりする。また、制御部３６は、ユーザの認知機能情報を収集し、収集結果をサーバ装置６０へ送信する。かかる認知機能情報の収集に関しては、後で詳細に説明する。
【００３７】
また、図２に示すように、ユーザ側端末装置３０は、赤外線受信部３７ａと、ＬＡＮ（Local Area Network）ケーブル接続端子３７ｂと、ＨＤＭＩケーブル接続端子３７ｃと、ＡＣ（Alternating Current）アダプタ接続端子３７ｄと、を備える。
【００３８】
図２（ａ）に示すように、赤外線受信部３７ａは、ユーザ側端末装置３０の筐体の前面に設けられており、リモコン装置４０によって送信された赤外線を受信し、当該赤外線に含まれる情報を制御部３６へ出力する。また、赤外線受信部３７ａは、リモコン装置４０以外のテレビ２０用、エアコン用等の図示しないリモコン装置によって送信された赤外線を受信し、受信結果を制御部３６へ出力する。
【００３９】
図２（ｂ）に示すように、ＬＡＮケーブル接続端子３７ｂは、ユーザ側端末装置３０の筐体の後面に設けられており、当該ユーザ側端末装置３０をネットワークＮＷとしてのインターネットに接続するためのＬＡＮケーブルが接続される端子である。
【００４０】
図２（ｂ）に示すように、ＨＤＭＩケーブル接続端子３７ｃは、ユーザ側端末装置３０の筐体の後面に設けられており、当該ユーザ側端末装置３０をテレビ２０に接続するためのＨＤＭＩケーブルが接続される端子である。
【００４１】
図２（ｂ）に示すように、ＡＣアダプタ接続端子３７ｄは、ユーザ側端末装置３０の筐体の後面に設けられており、当該ユーザ側端末装置３０をＡＣ電源に接続するためのＡＣアダプタが接続される端子である。
【００４２】
＜リモコン装置＞
図１に示すように、リモコン装置４０は、認知機能情報収集対象となるユーザの自宅の居室に設置されており、ユーザ側端末装置３０との赤外線通信によってテレビ２０の表示内容を変更する装置である。リモコン装置４０は、操作部４１と、制御部４２と、を備える。
【００４３】
≪操作部≫
図３（ａ）に示すように、操作部４１は、左右ボタン４１ａと、上ボタン４１ｂと、下ボタン４１ｃと、決定ボタン４１ｄと、を備える。
【００４４】
左右ボタン４１ａは、リモコン装置４０の上面の左端部に設けられており、テレビ２０の画面の表示内容を切り換えるためのボタンである。本実施形態において、左右ボタン４１ａは、初期画面、未読一覧、緊急情報一覧、福祉情報一覧、一般情報一覧等の切替を行うためのボタンである。
【００４５】
上ボタン４１ｂは、リモコン装置４０の上面の右端部に設けられており、左右ボタン４１ａによって選択された一覧において、選択（選択カーソル等）を上方向に移動させるためのボタンである。
【００４６】
下ボタン４１ｃは、リモコン装置４０の上面の右端部において上ボタン４１ｂの下方に設けられており、左右ボタン４１ａによって選択された一覧において、選択（選択カーソル等）を下方向に移動させるためのボタンである。
【００４７】
決定ボタン４１ｄは、リモコン装置４０の上面の右端部において上ボタン４１ｂ及び下ボタン４１ｃの右側に設けられており、テレビ２０の画面の表示内容を切り換えるためのボタンである。本実施形態において、決定ボタン４１ｄは、左右ボタン４１ａによって選択された一覧において、上ボタン４１ｂ及び下ボタン４１ｃによって選択された情報をテレビ２０に表示させるためのボタンである。
【００４８】
≪制御部≫
図１に示すように、制御部４２は、リモコン装置４０の筐体内に設けられており、ＣＰＵ、ＲＯＭ、ＲＡＭ、入出力回路等によって構成されている。制御部４２は、操作部４１の操作結果を、赤外線としてユーザ側端末装置３０へ送信する。
【００４９】
図３（ｂ）に示すように、リモコン装置４０は、赤外線送信部４３を備える。赤外線送信部４３は、リモコン装置４０の筐体の一側面（ユーザによる使用状態においてユーザ側端末装置３０に向く面）に設けられており、操作部４１の操作結果を情報として含む赤外線を送信する。
【００５０】
＜通知装置＞
図１に示すように、通知装置５０は、認知機能情報収集対象となるユーザが携行可能な端末装置である。通知装置５０は、通知部５１と、制御部５２と、を備える。
【００５１】
≪通知部≫
図４に示すように、通知部５１は、通知装置５０の筐体の上面に設けられており、発光器（ＬＥＤ等）によって構成されている。
【００５２】
≪制御部≫
図１に示すように、制御部５２は、通知装置５０の筐体内に設けられており、ＣＰＵ、ＲＯＭ、ＲＡＭ、入出力回路等によって構成されている。制御部５２は、ユーザ側端末装置３０の制御部３６と無線通信可能に構成されている。制御部５２は、ユーザ側端末装置３０の制御部３６からの信号に基づいて、ユーザ側端末装置３０に新着情報が届いた場合に、通知部５１を点灯又は点滅させ、当該新着情報が既読となった場合に、通知部５１を消灯させる。なお、制御部５２は、通知装置５０のバッテリ残量をユーザ側端末装置３０の制御部３６へ送信する。制御部３６は、受信されたバッテリ残量をテレビ２０へ送信し、当該テレビに表示させる。
【００５３】
図４に示すように、通知装置５０は、ＡＣアダプタ接続端子５３と、ストラップ取付部５４と、を備える。
【００５４】
図４（ｂ）に示すように、ＡＣアダプタ接続端子５３は、通知装置５０の筐体の一側面に設けられており、当該通知装置５０をＡＣ電源に接続するためのＡＣアダプタが接続される端子である。
【００５５】
図４（ａ）に示すように、ストラップ取付部５４は、通知装置５０の筐体の上面に設けられており、当該通知装置５０を携行しやすくするためのストラップを取付可能な部位である。
【００５６】
＜サーバ装置＞
図１に示すように、サーバ装置６０は、ネットワークＮＷ上のクラウドに設けられている。サーバ装置６０は、ＣＰＵ、ＲＯＭ、ＲＡＭ、入出力回路等によって構成されており、機能部として、記憶部６１と、制御部６２と、を備える。
【００５７】
≪記憶部≫
記憶部６１には、ユーザ情報データベース６１ａと、認知機能情報データベース６１ｂと、が格納されている。
【００５８】
図５（ａ）に示すように、ユーザ情報データベース６１ａには、例えば、ユーザ名と、当該ユーザ（及び／又は、当該ユーザの親族、同居者、介護者等）のメールアドレスと、当該ユーザが携行するＩＣカードに固有のＩＣカード番号と、当該ユーザの自宅に設置されるユーザ側端末装置３０に固有の端末ＩＤと、が関連付けて記憶されている。また、ユーザ情報データベース６１ａには、見守りメール送信設定として、例えば、当該ユーザの温度閾値（下限及び上限）と、当該ユーザの人感センサ３３の無反応時間と、当該ユーザの赤外線受信部３７ａの無反応時間と、見守りメールの送信間隔と、が関連付けて記憶されている。見守りメールとは、サーバ装置６０の制御部６２が、所定の条件に基づいて、予め登録されたメールアドレスにユーザの安否を問い合わせるために送信されるメールのことをいう。これらの情報の使用手法については、後記する。
【００５９】
図５（ｂ）に示すように、認知機能情報データベース６１ｂには、認知機能情報として、操作部３１の操作状態と、人感センサ３３の検知結果と、温度センサ３４の検出結果と、赤外線受信部３７ａの検出結果と、ＩＣカード読取部３５の読取状態と、が測定日時と関連付けて記憶されている。さらに、認知機能情報データベース６１ｂには、認知機能情報に基づく認知機能の判定結果が認知機能情報と関連付けて記憶されている。
【００６０】
≪制御部≫
制御部６２は、オペレータ側端末装置１０の制御部１３によって送信されたユーザ情報に基づいて、ユーザ情報データベース６１ａを管理（記憶、更新、追加、修正、削除等）する。すなわち、各ユーザは、ユーザ情報データベース６１ａに必要な情報を書類等に記入し、かかる書類等をオペレータ宛てに配送する。オペレータは、かかる書類等の記入内容に基づいてオペレータ側端末装置１０の操作部１１を操作する。オペレータ側端末装置１０の制御部１３は、かかる操作結果に基づいて、ユーザ情報をサーバ装置６０へ送信し、サーバ装置６０の制御部６２は、かかるユーザ情報を受信し、受信されたユーザ情報をユーザ情報データベース６１ａに記憶させる。
【００６１】
また、制御部６２は、ユーザ側端末装置３０の制御部３６によって送信された認知機能情報に基づいて、認知機能情報データベース６１ｂを管理（記憶、更新、追加、修正、削除等）する。
【００６２】
本実施形態において、制御部６２は、認知機能情報データベース６１ｂに記憶された操作部３１の操作状態、人感センサ３３の検知結果、温度センサ３４の検出結果及び赤外線受信部３７ａの受信結果と、ユーザ情報データベース６１ａに記憶された温度閾値及び各無反応時間と、に基づいて、例えば、操作部３１の操作状態が在宅を示すにも関わらず、温度が温度閾値から外れていたり、無反応を示す検知結果等が無反応時間を超えて連続したりする場合に、対応するメールアドレスを用いて、見守りメールを送信間隔ごとに送信する。
【００６３】
続いて、認知機能情報収集システム１の作用について、情報提供機能、安否確認機能、認知機能情報収集機能の順に説明する。
【００６４】
＜テレビ２０を用いた情報提供機能＞
オペレータ側端末装置１０の制御部１３は、オペレータによる操作部１１の操作に基づいて、緊急情報、福祉情報、一般情報等といった提供用情報をサーバ装置６０へ送信する。サーバ装置６０の制御部６２は、提供用情報を受信すると、受信された提供用情報をユーザ情報データベース６１ａ内のメールアドレスを用いてユーザ側端末装置３０へ送信する。ユーザ側端末装置３０の制御部３６は、提供用情報を含むメールを受信すると、提供用情報の種類に応じた通知ランプ３２ａ〜３２ｃを点灯又は点滅させるとともに、通知装置５０の制御部５２を介して通知部５１を点灯又は点滅させる。通知ランプ３２ａ〜３２ｃ及び通知部５１の点灯又は点滅を見たユーザは、リモコン装置４０の操作部４１を操作する。ユーザ側端末装置３０の制御部３６は、操作部４１の操作に基づいて、テレビ２０に提供用情報を表示させる。また、制御部３６は、提供用情報が既読になった場合に、通知ランプ３２ａ〜３２ｃ及び通知部５１を消灯させる。
【００６５】
なお、提供用情報が緊急情報である場合には、ユーザ側端末装置３０の制御部３６は、リモコン装置４０の操作部４１の操作に関わらず、緊急情報をテレビ２０に表示させることができる。制御部３６は、緊急情報の表示後に所定時間が経過した場合にテレビ２０を自動消灯させる構成であってもよい。
【００６６】
＜安否確認機能＞
ユーザ側端末装置３０の制御部３６は、人感センサ３３の検知結果、温度センサ３４の検出結果等を定期的（例えば、１分おき）に収集してサーバ装置６０へ送信する。サーバ装置６０の制御部６２は、制御部３６によって送信された情報を受信すると、受信された情報を認知機能情報データベース６１ｂに記憶させる。サーバ装置６０の制御部６２は、各データベース６１ａ，６１ｂを参照して、例えば、操作部３１の操作状態が在宅を示すにも関わらず、温度が温度閾値から外れていたり、無反応を示す検知結果等が無反応時間を超えて連続したりする場合に、ユーザ情報データベース６１ａに予め記憶されたメールアドレス（ユーザの親族、同居者、介護者等）に見守りメールを送信する。本実施形態では、制御部６２は、異常が解消するまで（例えば、温度が温度閾値の範囲内になったり、検知結果等が反応ありを示すまで）、予め設定された送信間隔ごとに見守りメールを送信し続ける。
【００６７】
なお、見守りメールに関する情報をテレビ２０に表示させるようにしてもよい。この場合、サーバ装置６０の制御部６２は、提供用情報を受信すると、受信された提供用情報をユーザ情報データベース６１ａ内のメールアドレスを用いてユーザ側端末装置３０へ送信する。ユーザ側端末装置３０の制御部３６は、提供用情報を含むメールを受信すると、提供用情報の種類に応じた通知ランプ３２ａ〜３２ｃを点灯又は点滅させるとともに、通知装置５０の制御部５２を介して通知部５１を点灯又は点滅させる。通知ランプ３２ａ〜３２ｃ及び通知部５１の点灯又は点滅を見たユーザは、リモコン装置４０の操作部４１を操作する。ユーザ側端末装置３０の制御部３６は、操作部４１の操作に基づいて、テレビ２０に見守りメールを表示させることが可能である。特に、見守りメールが緊急情報に分類される場合には、制御部３６は、当該見守りメールを自動的にテレビ２０に表示させることができる。また、制御部３６は、見守りメールが既読になった場合に、通知ランプ３２ａ〜３２ｃ及び通知部５１を消灯させる。ユーザ側端末装置３０の制御部３６は、見守りメールが既読になった場合に、返信メールを自動的に生成してサーバ装置６０又はオペレータ側端末装置１０へ送信することもできる。
【００６８】
＜ユーザ側端末装置３０による認知機能情報収集機能＞
ユーザ側端末装置３０の制御部３６は、ユーザの認知機能情報を収集し、収集された認知機能情報をサーバ装置６０へ送信する。本実施形態において、制御部３６は、認知機能情報として以下に示す情報を定期的（例えば、１分おき）に収集する。
・操作部（トグルスイッチ）３１の操作状態
・人感センサ３３の検知結果
・温度センサ３４の検出結果
・赤外線受信部３７ａの受信結果
・ＩＣカード読取部３５の読取状態
ここで、人感センサ３３の検知結果、赤外線受信部３７ａの受信結果については、収集間隔（例えば、１分）の間に検知又は受信していれば検知あり／受信ありとすることもできる。すなわち、制御部３６は、同時刻又は所定時間間隔内における操作部３１の操作状態、人感センサ３３の検知結果等を認知機能情報としてサーバ装置６０へ送信する。
【００６９】
例えば、これらの認知機能情報が以下の組み合わせの場合には、ユーザの認知機能が低下しているものと考えられる。
【００７０】
≪操作部３１の操作状態が在宅を示す場合≫
・人感センサ３３がユーザを検知していない
・温度センサ３４の検出結果が所定範囲から外れている（エアコンがＯＦＦになっている）
・赤外線受信部３７ａが赤外線を受信しない
・ＩＣカード読取部３５がＩＣカードを読み取っていない
これらの場合には、ユーザが、操作部３１の操作を忘れて外出している可能性がある。
【００７１】
≪操作部３１の操作状態が外出を示す場合≫
・人感センサ３３がユーザを検知している
・温度センサ３４の検出結果が所定範囲内である（エアコンがＯＮになっている）
・赤外線受信部３７ａが赤外線を受信している
・ＩＣカード読取部３５がＩＣカードを読み取っている
これらの場合には、ユーザが、在宅しているにも関わらず、操作部３１の操作を忘れている可能性がある。
【００７２】
前記した認知機能の判定手法の例は、操作部３１の操作状態を基準としたものであるが、人感センサ３３の検知結果、温度センサ３４の検出結果、赤外線受信部３７ａの受信結果、及び、ＩＣカード読取部３５の読取状態のそれぞれを基準とした認知機能の判定が可能である。
【００７３】
本実施形態において、制御部３６は、認知機能情報として収集された情報の前記したような矛盾点に基づいて認知機能を判定し、判定結果を認知機能情報とともにサーバ装置６０へ送信する。例えば、制御部３６は、認知機能情報に前記したような矛盾点がある場合には認知機能「×（低下）」と判定し、認知機能情報に矛盾点が無い場合には認知機能「○（良好）」と判定することができる。
【００７４】
ここで、図５（ｂ）を参照して、あるユーザＡの認知機能の判定の例について説明する。なお、かかる例では、温度センサ３４の検出結果は、認知機能の判定に用いられていない。
まず、１２時００分の時点では、ユーザＡは在宅している。ここで、操作部３１の操作状態、人感センサ３３の検出結果、赤外線受信部３７ａの受信結果、及び、ＩＣカード読取部３５の読取状態が全て「在宅」を示すものとなっており、これらの間に矛盾が生じていないため、制御部３６は、認知機能「○（良好）」と判定する。
その後、１３時００分の時点では、ユーザＡは、ＩＣカードを携行したにも関わらずに操作部３１の操作を忘れて外出している。ここで、操作部３１の操作状態が「在宅」を示すものである一方、人感センサ３３の検出結果、赤外線受信部３７ａの受信結果、及び、ＩＣカード読取部３５の読取状態が「外出」を示すものとなっており、これらの間に矛盾が生じているため、制御部３６は、認知機能「×（低下）」と判定する。
その後、１４時００分の時点では、ユーザＡは、帰宅したにも関わらずにＩＣカードをＩＣカード読取部３５に差し込むのを忘れている。ここで、操作部３１の操作状態、人感センサ３３の検出結果、及び、赤外線受信部３７ａの受信結果が「在宅」を示すものである一方、ＩＣカード読取部３５の読取状態が「外出」を示すものとなっており、これらの間に矛盾が生じているため、制御部３６は、認知機能「×（低下）」と判定する。
【００７５】
本実施形態において、制御部３６は、ＩＣカード読取部３５によって読み取られた最新のＩＣカード番号又はユーザ名を認知機能情報と関連付けてサーバ装置６０へ送信することができる。
【００７６】
また、サーバ装置６０の制御部６２は、認知機能情報データベース６１ｂに記憶された認知機能情報を用いて、ユーザの認知機能の変化傾向に基づく判定を行うことができる。
【００７７】
オペレータ側端末装置１０の制御部１３は、オペレータによる操作部１１の操作に基づいて、認知機能情報データベース６１ｂに記憶された認知機能情報及び判定結果を通知部（例えば、モニタ）１２に表示させることができる。オペレータは、認知機能情報及び判定結果を閲覧し、ユーザの認知機能の低下等を推定することができる。
【００７８】
本発明の実施形態に係る認知機能情報収集システム１は、ユーザ側端末装置３０が同時刻（又は、所定時間間隔内）における操作部３１の操作状態、人感センサ３３の検知結果、温度センサ３４の検出結果、赤外線受信部３７ａの受信結果及びＩＣカード読取部３５の読取状態を認知機能情報として収集し、収集結果をサーバ装置６０へ送信するので、ユーザの認知機能を示す情報を好適に収集することができる。収集された認知機能情報は、オペレータ、医師等による認知機能の低下等の判断に利用可能である。
【００７９】
また、本発明の実施形態に係る認知機能情報収集システム１は、ユーザ側端末装置３０が同時刻（又は、所定時間間隔内）における認知機能情報に基づいてユーザの認知機能を判定し、判定結果をサーバ装置６０へ送信するので、ユーザの認知機能の低下を好適に判定することができる。
【００８０】
また、本発明の実施形態に係る認知機能情報収集システム１は、サーバ装置６０の制御部６２がユーザの認知機能を判定するので、ある程度の期間の認知機能情報を用いて、ユーザの認知機能の変化傾向に基づく判定を行うことができる。
【００８１】
以上、本発明の実施形態について説明したが、本発明は前記実施形態に限定されず、本発明の要旨を逸脱しない範囲で適宜変形可能である。例えば、ユーザ側端末装置３０においてＩＣカード読取部３５が省略されている場合には、制御部３６は、ＩＣカード番号に代えて制御部３６に予め記憶されている端末ＩＤを認知機能情報と関連付けてサーバ装置６０へ送信する構成であってもよい。
【００８２】
また、サーバ装置６０の制御部６２は、見守りメールを、ユーザ側端末装置３０以外のユーザが所有する装置（テレビ２０、スマートフォン等）に送信したり、電子メール以外のＳＮＳ（Social Network Service）を用いて送信したりする構成であってもよい。
【００８３】
また、制御部３６，６２は、提供用情報が既読になっているか否かを認知機能情報の一つとして取り扱う構成であってもよい。また、リモコン装置４０から送信される赤外線信号に二次変調がかけられており、制御部３６，６２が、かかる二次変調に基づいて、受信された赤外線信号がどのリモコン装置から送信されたかを識別し、かかる識別結果を認知機能情報の一つとして取り扱う構成であってもよい。
【００８４】
また、制御部６２は、認知機能の判定結果に基づいて、ユーザ情報データベース６１ａに記憶された人感センサ３３及び赤外線受信部３７ａの無反応時間を変更する構成であってもよい。
【００８５】
また、認知機能の判定は、「○」「×」の二段階評価に限定されず、三段階以上の評価、１００点満点での評価等であってもよい。
【符号の説明】
【００８６】
１      認知機能情報収集システム
３０    ユーザ側端末装置（認知機能情報収集装置）
３１    操作部（トグルスイッチ）
３３    人感センサ
３４    温度センサ
３５    ＩＣカード読取部
３６    制御部
３７ａ  赤外線受信部
６０    サーバ装置
【図１】
0006335961.tif 000002
【図２】
0006335961.tif 000003
【図３】
0006335961.tif 000004
【図４】
0006335961.tif 000005
【図５】
0006335961.tif 000006